(57)【要約】【課題】写真アルバム冊子を構成する頁シートだけではなく表紙や裏表紙、必要の場合背表紙も含めて簡単に写真プリントとして出力できる写真プリント装置を提供する。【解決手段】写真プリント装置には、表紙テンプレートと裏表紙テンプレートと頁シートテンプレートとを格納するテンプレート格納部４２と、選択された表紙テンプレートと裏表紙テンプレートと頁シートテンプレートとの組み合わせからなるアルバム冊子テンプレートを作成して格納するアルバム冊子テンプレート管理部４１と、アルバム冊子テンプレートのイメージデータを作成するアルバム冊子テンプレートイメージ作成部４４とが備えられ、アルバム冊子テンプレート管理部４１は前記アルバム冊子テンプレートのイメージデータを対応するアルバム冊子テンプレートとリンクさせて格納する。【選択図】        図５
2006058962.tif 000002
【特許請求の範囲】
【請求項１】
写真アルバム冊子を構成する表紙と裏表紙と各頁シートとを出力するための写真プリント装置において、
少なくとも表紙テンプレートと裏表紙テンプレートと頁シートテンプレートとを格納するテンプレート格納部と、任意選択された前記表紙テンプレートと前記裏表紙テンプレートと前記頁シートテンプレートとの組み合わせからなるアルバム冊子テンプレートとを作成して前記テンプレート格納部に格納するアルバム冊子テンプレート管理部と、前記アルバム冊子テンプレートのイメージデータを作成するアルバム冊子テンプレートイメージ作成部と、前記アルバム冊子テンプレートに入力撮影画像を割り当ててアルバム冊子用画像データを生成するアルバム冊子プリント管理部とが備えられ、前記アルバム冊子テンプレート管理部は前記アルバム冊子テンプレートのイメージデータを対応するアルバム冊子テンプレートとリンクさせて格納することを特徴とする写真プリント装置。
【請求項２】
前記テンプレート格納部には背表紙テンプレートも格納され、前記アルバム冊子テンプレートは前記表紙テンプレートと前記裏表紙テンプレートと前記頁シートテンプレートと前記背表紙テンプレートとの組み合わせからなることを特徴とする請求項１に記載の写真プリント装置。
【請求項３】
前記アルバム冊子テンプレート管理部は、前記テンプレート格納部から読み出された前記いずれかのテンプレートを編集して新規アルバム冊子テンプレートとして前記テンプレート格納部に登録する機能を有することを特徴とする請求項１又は２に記載の写真プリント装置。
【請求項４】
前記アルバム冊子テンプレートには複数種の頁シートテンプレートが含まれていることを特徴とする請求項１〜３のいずれか１項に記載の写真プリント装置。
【請求項５】
各頁シートテンプレートには適用される頁を規定している頁属性情報が与えられていることを特徴とする請求項４に記載の写真プリント装置。
【請求項６】
前記表紙テンプレートと前記裏表紙テンプレートと前記背表紙テンプレートとを通じて作成された画像データは統合化されて１枚の写真プリントを出力するプリントデータに変換されることを特徴とする請求項２に記載の写真プリント装置。
【発明の詳細な説明】
【技術分野】
【０００１】
本発明は、写真アルバム冊子を構成する表紙と裏表紙と各頁シートとを出力するための写真プリント装置に関する。
【背景技術】
【０００２】
従来、ＤＰ店に写真プリント注文することで写真プリント装置から出力された撮影画像コマ単位の写真プリントを市販の台紙に貼り付けていくことで多数頁から構成される写真アルバム冊子が作成されていたが、最近、デジタル化された撮影画像を用いてデジタル画像処理に基づく画像形成（デジタル露光方式やインクジェット）によって写真プリントを出力するデジタルミニラボなどが登場することになり、その結果、１枚のプリント用紙に複数の撮影画像を形成することにより写真アルバム冊子を構成する頁シートを直接出力することが可能となった。
【０００３】
このような頁シート（アルバムシート）を作成するシステムとして、例えば、複数の画像（撮影画像）を表示する画像表示手段と、作成されるアルバムシートの見本となる見本シート（テンプレート）を表示する見本シート表示手段と、前記画像表示手段により表示された複数の画像の中からアルバムシートにする画像を選択する画像選択手段と、前記画像選択手段により選択された画像を見本シートのどの位置にプリントするかを決定するプリント位置決定手段と、前記画像選択手段により選択された画像と、前記プリント位置決定手段により決定されたプリント位置に関する情報とを関連づけて記憶する記憶手段と、を具備するアルバムシート作成システムが提案されている（例えば、特許文献１参照。）。この特許文献１によるアルバムシート作成システムでは、選択したテンプレートに撮影画像を配置することによって得られたプリントデータに基づいて出力された写真プリントがいわゆる頁シートとして活用されることになるが、これらを単に市販のバインダによって綴じようとしても、ぴったりしたサイズのものがなかったり、外観的な調和がとれなかったりする。そしてなによりも市販のバインダの値段が高く、まとまった部数のアルバム冊子を作成することには適さない。
【０００４】
表紙と裏表紙のためのテンプレートを予め用意しておき、このテンプレートに文字や数値やイラストなどを入力した後、表紙画像データや裏表紙画像データを作成して、頁シートを出力する写真プリント装置から表紙や裏表紙も出力する技術も知られている（例えば、特許文献２参照。）。この特許文献２による写真プリント装置では、表紙と裏表紙も出力することができるが、そのために必要な表紙テンプレートや裏表紙テンプレートの管理には触れられておらず、多様な表紙や裏表紙を作成することを難しくしていた。
【０００５】
【特許文献１】特開２００１−１８７４７４号公報（段落番号０００８、図６）
【特許文献２】特開２００２−４９１０６号公報（段落番号００２１、図２）
【発明の開示】
【発明が解決しようとする課題】
【０００６】
上記実状に鑑み、本発明の課題は、写真アルバム冊子を構成する頁シートだけではなく表紙や裏表紙、必要の場合背表紙も含めて合理的に管理されたテンプレートを利用して簡単に写真プリントとして出力できる写真プリント装置を提供することである。
【課題を解決するための手段】
【０００７】
上記課題を解決するため、本発明による写真プリント装置では、写真アルバム冊子を構成する表紙と裏表紙と各頁シートとを出力するために、少なくとも表紙テンプレートと裏表紙テンプレートと頁シートテンプレートとを格納するテンプレート格納部と、任意選択された前記表紙テンプレートと前記裏表紙テンプレートと前記頁シートテンプレートとの組み合わせからなるアルバム冊子テンプレートを作成して前記テンプレート格納部に格納するアルバム冊子テンプレート管理部と、前記アルバム冊子テンプレートのイメージデータを作成するアルバム冊子テンプレートイメージ作成部と、前記アルバム冊子テンプレートに入力撮影画像を割り当ててアルバム冊子用画像データを生成するアルバム冊子プリント管理部とが備えられ、前記アルバム冊子テンプレート管理部は前記アルバム冊子テンプレートのイメージデータを対応するアルバム冊子テンプレートとリンクさせて格納する。
【０００８】
この構成では、予め格納されている表紙テンプレートと裏表紙テンプレートと頁シートテンプレートとを読み出して、所望の表紙と裏表紙と頁シートとの組み合わせからなるアルバム冊子テンプレートを選択又は作成し、そのアルバム冊子テンプレートに入力撮影画像を割り当てていくことにより、写真アルバム冊子を構成する表紙と裏表紙と各頁シートが所望のレイアウト構成でもって写真プリントとして出力される。この出力された表紙と裏表紙と各頁シートとしての写真プリントを冊子化することにより、体裁のよい写真アルバムプリントを安価に作り出すことができる。その際、各テンプレートの構成によっては、イラストや文字メッセージも付加することも可能である。予め格納されている表紙テンプレートと裏表紙テンプレートと頁シートテンプレートの任意の組み合わせによって入力撮影画像によく適合したアルバム冊子テンプレートを作成することができるので、結果的に作り出される写真アルバム冊子も質も高いものとなる。
【０００９】
多数の頁シートを有する美観に優れた格調の高い写真アルバム冊子を作成する場合、背表紙の存在が重要である。このため、本発明の好適な実施形態では、前記テンプレート格納部には背表紙テンプレートも格納され、前記アルバム冊子テンプレートは前記表紙テンプレートと前記裏表紙テンプレートと前記頁シートテンプレートと前記背表紙テンプレートとの組み合わせからなる。つまり、表紙と裏表紙だけではなく背表紙も含めた装幀要素が写真プリントによって出力され、美観に優れた格調の高い写真アルバム冊子の構成要素の全てが写真プリント装置のみで作り出される。
【００１０】
所望の表紙と裏表紙と頁シートと場合によっては背表紙も含めた組み合わせから新規のアルバム冊子テンプレートを作成した場合、そのアルバム冊子テンプレートをただ１回の写真プリント出力だけに使うのではなく、後からも使いたいという要望に応えるべく、本発明の好適な実施形態では、前記アルバム冊子テンプレート管理部が、前記テンプレート格納部から読み出された前記いずれかのテンプレートを編集して新規アルバム冊子テンプレートとして前記テンプレート格納部に登録する機能を備えている。
【００１１】
写真アルバム冊子の中身としての頁シートは一般には多数枚となるが、それらが全て同じレイアウト構成をもっているよりは頁によっては異なるレイアウトをもつほうが良い場合がある。そのような写真アルバム冊子も本発明の主旨で作成するためには、前記アルバム冊子テンプレートに複数種の頁シートテンプレートを含ませることが可能なように構成するとよい。その際、各頁シートテンプレートには適用される頁を規定している頁属性情報が与えられるように構成することで、頁に応じて自動的に適切な頁シートテンプレートが使用されることが可能となり、好都合である。
【００１２】
表紙と背表紙と裏表紙は装幀的には連続しているので、これらを１枚の写真プリントとして出力することは、プリント出力と冊子化の両方の観点から利点を生み出す。この目的のため、本発明の好適な実施形態の１つでは、前記表紙テンプレートと前記裏表紙テンプレートと前記背表紙テンプレートとを通じて作成された画像データは統合化されて１枚の写真プリントを出力するプリントデータに変換される。
本発明によるその他の特徴及び利点は、以下図面を用いた実施形態の説明により明らかになるだろう。
【発明を実施するための最良の形態】
【００１３】
本発明による、アルバム冊子を構成する表紙と裏表紙と背表紙及び頁シートとを出力する写真プリント装置の外観図が図１に示されている。この写真プリント装置は、印画紙Ｐに対して露光処理と現像処理とを行う写真プリンタとしてのプリントステーション１Ｂと、現像済み写真フィルム２ａやデジタルカメラ用メモリカード２ｂなどの画像記録メディアから取り込んだ撮影画像を処理してプリントステーション１Ｂで使用されるプリントデータの生成・転送などを行う操作ステーション１Ａとから構成されている。
【００１４】
この写真プリント装置から出力される写真プリントＰの内、図２で示すようにアルバム冊子として製本するための綴じ代を余白として残すとともに入力された撮影画像を１つ以上組み込んだものを頁シートＰ1と呼び、複数の頁シートＰ1を纏めて体裁を整える表紙と裏表紙と背表紙からなる装幀要素をカバーシートＰ0と呼ぶ。つまりこの実施形態では、表紙と裏表紙と背表紙は１枚の写真プリントＰを適切に折り込むことによって作り出されている。もちろん、表紙と裏表紙と背表紙を別々の写真プリントＰとして作り出し、後から接合する構成を採用してもよい。ここで重要なことは、写真アルバム冊子の装幀要素としてのカバーシートＰ0と写真アルバム冊子の中身としての頁シートＰ1の両方がこの写真プリント装置から写真プリントＰとして出力されることである。
【００１５】
この写真プリント装置はデジタルミニラボとも称せられるものであり、図３からよく理解できるように、プリントステーション１Ｂは２つの印画紙マガジン１１に納めたロール状の印画紙Ｐを引き出してシートカッター１２でプリントサイズに切断し、このように切断された印画紙Ｐに対し、バックプリント部１３で色補正情報や頁シート番号などのプリント処理情報を印画紙Ｐの裏面に印字するとともに、プリント露光部１４で印画紙Ｐの表面に撮影画像の露光を行い、この露光後の印画紙Ｐを複数の現像処理槽を有した処理槽ユニット１５に送り込んで現像処理する。乾燥の後に装置上部の横送りコンベア１６からソータ１７に送られた印画紙Ｐ、つまり頁シートＰ1とカバーシートＰ0は、このソータ１７の複数のトレイにオーダ単位で仕分けられた状態で集積される（図１参照）。
【００１６】
上述した印画紙Ｐに対する各種処理に合わせた搬送速度で印画紙Ｐを搬送するために印画紙搬送機構１８が敷設されている。印画紙搬送機構１８は、印画紙搬送方向に関してプリント露光部１４の前後に配置されたチャッカー式印画紙搬送ユニット１８ａを含む複数の挟持搬送ローラ対から構成されている。
【００１７】
プリント露光部１４には、副走査方向に搬送される印画紙Ｐに対して、主走査方向に沿って操作ステーション１Ａからのプリントデータに基づいてＲ（赤）、Ｇ（緑）、Ｂ（青）の３原色のレーザ光線の照射を行うライン露光ヘッドが設けられている。処理槽ユニット１５は、発色現像処理液を貯留する発色現像槽１５ａと、漂白定着処理液を貯留する漂白定着槽１５ｂと、安定処理液を貯留する安定槽１５ｃを備えている。
【００１８】
前記操作ステーション１Ａのデスク状コンソールの上部位置には、写真フィルム２ａの撮影画像コマから撮影画像データ（以下単に画像データと略称する）を取得することができるフィルムスキャナ２０が配置されており、デジタルカメラ等に装着される撮影画像記録媒体２ｂとして用いられている各種メモリカードやＣＤ−Ｒなどから画像データを取得するメディアリーダ２１は、この写真プリント装置のコントローラ３として機能する汎用パソコンに組み込まれている。この汎用パソコンには、さらに各種情報を表示するモニタ２３、各種設定や調整を行う際に用いる操作入力部として利用される操作入力デバイスとしてのキーボード２４やマウス２５も接続されている。
【００１９】
この写真プリント装置のコントローラ３は、ＣＰＵを中核部材として、写真プリント装置の種々の動作を行うための機能部をハードウエア又はソフトウエアあるいはその両方で構築しているが、図４と図５に示されているように、本発明に特に関係するインターフェース系の機能部としては、フィルムスキャナ２０やメディアリーダ２１によって読み取られた画像データに次の処理のために必要な前処理を施してメモリ３０に展開する画像データ入力部３１と、キーボード２４やマウス２５からのユーザ操作入力を処理して適当な内部処理コマンドに変換する操作入力処理部３２と、種々の画像情報を最終的にモニタ２３に表示させるためのビデオ信号を生成するビデオ制御部３３と、処理が完了した処理済み画像データに基づいてプリントステーション１Ｂに装備されているプリント露光部１４に適したプリントデータを生成するプリントデータ生成部３４と、顧客の要望に応じて生の画像データや編集済みのアルバム冊子画像データなどをＣＤやＤＶＤに書き込むための形式にフォーマットするフォーマッタ部３５と、各種グラフィック操作画面を通じてのユーザ操作入力から変換された内部処理コマンドを管理するグラフィックユーザインターフェース（以下ＧＵＩと略称する）を構築するＧＵＩ部３６などが挙げられる。
【００２０】
さらに、処理系の機能部としては、テンプレート格納部４２から読み出された表紙テンプレートと背表紙テンプレートと裏表紙テンプレートと頁シートテンプレートとをアルバム冊子選択画面生成部４３によって生成されたアルバム冊子選択画面を通じて任意に組み合わせてアルバム冊子テンプレートを作成するアルバム冊子テンプレート管理部４１と、前記アルバム冊子テンプレートのイメージデータを作成するアルバム冊子テンプレートイメージ作成部４４と、プレジャッジ画面生成部４６によって生成されたプレジャッジ画面を通じて前記アルバム冊子テンプレートに入力撮影画像等を割り当てていくことで得られた画像データをプリントデータ生成部３４に送り出すアルバム冊子プリント管理部４５と、入力撮影画像等に各種画像処理を施す画像処理部４７などが挙げられる。
【００２１】
画像データ入力部３１は、撮影画像記録媒体がフィルム２ａの場合プレスキャンモードと本スキャンモードとのスキャンデータを別々にメモリ３０に送り込み、それぞれの目的に合わせた前処理を行う。また、撮影画像記録媒体がメモリカード２ｂの場合取り込んだ画像データにサムネイル画像データ（低解像度データ）が含まれている場合はモニタ２３での一覧表示などの目的で使用するため撮影画像の本データ（高解像度データ）とリンクされたアドレスのメモリ３０に送り込むが、もしサムネイル画像データが含まれていない場合は本データから縮小画像を作り出してサムネイル画像データとして同様に本データのアドレスとリンクされたアドレスのメモリ３０に送り込む。
【００２２】
テンプレート格納部４２には、表紙テンプレートを格納する表紙テンプレート格納部４２ａと背表紙テンプレートを格納する背表紙テンプレート格納部４２ｂと裏表紙テンプレーを格納する裏表紙テンプレート格納部４２ｃと頁シートテンプレートを格納する頁シートテンプレート格納部４２ｄとアルバム冊子テンプレート格納部４２ｅが含まれている。表紙テンプレートは、図６の（ａ）に例示するような特定の表紙装幀（飾り枠など）をもったテンプレートであり、アルバムタイトルを割り付けるための文字枠や特定の撮影画像を割り付けるための画像枠を備えることも可能である。同様に、背表紙テンプレートは、図６の（ｂ）に例示するような特定の背表紙装幀をもったテンプレートであり、裏表紙テンプレートは、図６の（ｃ）に例示するような特定の裏表紙装幀をもったテンプレートであり、ここにもアルバムタイトルなどの文字を割り付けるための文字枠や特定の撮影画像を割り付けるための画像枠を備えてもよい。頁シートテンプレートは、図６の（ｄ）に例示するような特定の頁装幀をもったテンプレートであり、撮影画像を割り付けるための画像枠を１つ以上備えることが必須であるが、メッセージなどの文字を割り付けるための文字枠を備えてもよい。
【００２３】
アルバム冊子テンプレートは、上述した特定の表紙テンプレートと背表紙テンプレートと裏表紙テンプレートと頁シートテンプレートとの組み合わせを規定した記述ファイルの一種であり、このアルバムテンプレートの記述内容により上述した各テンプレート格納部から特定テンプレートを読み出して唯一の組み合わせを作り出すことができる。しかしながら、記述ファイルではそれによって作成されるアルバム冊子のイメージがつかめないことから、このアルバム冊子テンプレートに基づく各テンプレートとの組み合わせイメージを表現するアルバム冊子テンプレートイメージが縮小画像（サムネイル）の形でアルバム冊子テンプレートイメージ作成部４４で作成され、対応するアルバム冊子テンプレートとリンクされて、アルバム冊子イメージ格納部４４ａに格納される。このアルバム冊子イメージ格納部４４ａはテンプレート格納部４２に構築してもよいし、別の不揮発性メモリの領域に構築してもよい。
【００２４】
テンプレート格納部４２の構成は自由であり、表紙テンプレート格納部４２ａと背表紙テンプレート格納部４２ｂと裏表紙テンプレート格納部４２ｃと頁シートテンプレート格納部４２ｄはＣＤやＤＶＤのような記録メディアの形態で構築することも可能である。
【００２５】
ＧＵＩ部３６は、モニタ２３に表示された、新規アルバム冊子テンプレート作成画面、アルバム冊子テンプレート画面、プレジャッジ画面などのユーザ操作画面を通じて入力されたユーザ操作コマンドを内部処理コマンドに変換して、上述した種々の処理機能部に適切な処理を要求する。
【００２６】
例えば、図７で例示されているアルバム冊子テンプレート画面５０では、アルバム冊子テンプレート格納部４２ｅに格納されている全てのアルバム冊子テンプレートを読み出すとともにそのアルバム冊子テンプレートにリンクされているアルバム冊子テンプレートイメージも読み出され、スクロール操作可能な一覧表示枠５１にアルバム冊子テンプレートイメージが一覧表示される。一覧表示枠５１に表示されているアルバム冊子テンプレートイメージから希望するアルバム冊子テンプレートを選んで選択ボタン５２をクリックすると、選択されたアルバム冊子テンプレートを構成する表紙テンプレートと背表紙テンプレートと裏表紙テンプレートがテンプレート格納部４２から読み出され、アルバム冊子プリント管理部４５に渡される。
【００２７】
アルバム冊子テンプレート画面５０において気に入ったアルバム冊子テンプレートイメージがなかった場合、新規テンプレート作成ボタン５３をクリックすると新規アルバム冊子テンプレート作成画面がモニタ２３に表示される。この新規アルバム冊子テンプレート作成画面は、表紙と裏表紙と背表紙と頁シートのテンプレートをそれぞれ選択する画面に分かれており、図８に表紙テンプレートを選択する画面が、図９に頁シートを選択する画面が示されている。図８と図９から理解できるように、新規アルバム冊子テンプレート作成画面６０の上側に配置されている、表紙と裏表紙と背表紙と頁シートのうちから処理対象を選択するオプションボタン６１をクリックすることで、クリックされた処理対象のための画面が表示されることになる。
【００２８】
図８では、テンプレート一覧リスト表示欄６２に、表紙テンプレートの一覧リストがスクロール可能に表示されている。所望の表紙テンプレートを選択すると、対応する表紙テンプレートがテンプレート表示欄６３に表示されるとともに、そのプロパティを示すプロパティ表示欄６４に表示されている。表紙テンプレートに文字を割り当てる文字枠や撮影画像を割り当てる画像枠が配置されている場合、そのプロパティ、例えば画像表示サイズ、画像表示位置、文字フォント種、文字フォントサイズ、文字内容などがプロパティ表示欄６４に表示されるが、そのプロパティがデフォルトで前設定されて編集不可の場合は、プロパティ表示欄６４が薄く表示され、その編集操作は受け付けられない。編集可能の場合は、ユーザによって所定の条件下での編集が可能である。背表紙テンプレートや裏表紙テンプレートの選択も実質的に上記の表紙テンプレートの選択と同様である。
【００２９】
図９で示された頁シートの選択を行う新規アルバム冊子テンプレート作成画面６０では、実質的に図７で示された新規アルバム冊子テンプレート作成画面６０と同一であるが、複数種の頁シートテンプレートを選択するための選択済みテンプレート表示欄６５が配置されていることで異なっている。つまり、写真アルバム冊子の中身としての頁シートは多数枚となることから、頁によって使用するテンプレートを変更することが可能となっている。そのために、選択された各頁シートテンプレートには適用される頁を規定する頁属性情報が付加される。
【００３０】
新規アルバム冊子テンプレート作成画面６０を通じて、表紙と裏表紙と背表紙と頁シートのテンプレートの選択が完了すると、アルバム冊子テンプレート管理部４１は、選択された表紙テンプレートと背表紙テンプレートと裏表紙テンプレートと頁シートテンプレートとの組み合わせを規定した記述ファイルとしてのアルバム冊子テンプレートを作成してアルバム冊子テンプレート格納部４２ｅに格納するとともに、これらのテンプレートを視覚的確認可能にイメージ化したアルバム冊子テンプレートイメージをアルバム冊子イメージ格納部４４ａに格納して、次回からアルバム冊子テンプレート選択画面５０の一覧表示枠５１に表示されるようにする。
【００３１】
アルバム冊子テンプレートの選択が終了すると、選択された表紙テンプレートと背表紙テンプレートと裏表紙テンプレートに基づく画像データを結合して前述したカバーシートＰ0のための画像データが作成される。その際、入力されている撮影画像を組み入れる場合は、後ほど説明するプレジャッジ画面を通じて組み入れる撮影画像を選択する。必要な画像処理も施されて最終的に得られたカバーシートＰ0のための画像データはプリントデータ生成部３４に転送され、そこで生成されたプリントデータに基づいてプリントステーション１ＢにおいてカバーシートＰ0として出力される。
【００３２】
頁シートＰ1のための画像データは、選択された頁シートテンプレートの画像枠にこの写真プリント装置に入力されている撮影画像を組み入れていく必要がある。この目的のために、ＧＵＩ部３４は、プレジャッジ画面生成部４６で生成されたプレジャッジ画面をモニタ２３に表示する。
【００３３】
図１０に例示的に示されているプレジャッジ画面７０では、フィルム１本分やメモリカード１枚分の撮像コマがその画像チェックのために撮影画像表示枠７１に順次表示される。この撮影画像表示枠７１は、前設定された表示コマ数だけ配置されるが、図１０では、６コマ表示となっている。各撮影画像表示枠７１の上側にはこの撮影画像表示枠７１に表示されている撮影画像のコマ番号を表示するコマ識別コード表示欄７５が配置されており、各撮影画像表示枠７１の下側には色濃度補正設定エリア７２とプリント枚数設定エリア７３が配置されている。色濃度補正設定エリア７２には「イエロー」、「マゼンタ」、「シアン」、「濃度」の設定枠が設けられており、補正量の「Ｎ」はニュートラルを表し補正なしを意味している。プリント枚数設定エリア７３にはプリント枚数を入力する入力枠が設けられており、この入力枠に「パス」が表示された場合その撮影画像はプリント対象外となっていることを意味している。プレジャッジ画面７０の下方にはプリント条件表示欄７４が配置されており、この写真プリント出力に適用されたプリントチャンネル名称の表示や、このプリントチャンネルに含まれているプリントサイズやメディア出力（ＣＤやＤＶＤなど）の要否などが示されている。プリントサイズは仕上がり写真プリントＰの大きさを示すものであり、印画紙幅と送り長さでプリントサイズが決定される。
【００３４】
図１０で例示されたプレジャッジ画面７０では、コマ識別コード表示欄７５にコマ番号「００５」と「００６」が表示されている２つの撮影画像表示枠７１の境界領域に、上辺の両端に外向き矢印を付けたＴ字状の頁区切りマーク７６が表示されている。この頁区切りマーク７６は、選択された頁シートテンプレートに定義されている画像枠の数つまり頁シートに割り当てられるべき撮影画像の数に基づいて頁区切りが発生する撮影画像表示枠７１の境界領域に表示されるものであり、この頁区切りマーク７６を境として撮影画像は異なる頁シートに画像形成されることになる。頁区切りマーク７６の外向き矢印には頁シートの頁番号を示す数字が付記されており、例えば頁番号「１」側に属する撮影画像表示枠７１に表示されている撮影画像は１枚目の頁シートに画像形成され、頁番号「２」側に属する撮影画像表示枠７１に表示されている撮影画像は２枚目の頁シートに画像形成される。
【００３５】
このプレジャッジ画面７０において各撮影画像に対する色濃度補正などの設定が完了して「ＳＴＡＲＴ」ボタンがクリックされると、表示されていた撮影画像に対応する高解像度の画像データが頁シートテンプレートと合成されて頁シートＰ1のための画像データが作り出されるが、複数の頁シートテンプレートが選択されている場合、各頁シートテンプレートに付加されている頁属性情報に基づいて適用頁シートテンプレートが決定される。このようにして作り出された画像データはプリントデータ生成部３４に送られ、プリントデータに変換される。
【００３６】
上述した実施形態の説明では、表紙と裏表紙と背表紙からなる装幀要素をカバーシートＰ0と呼び、１枚の写真プリントＰで出力していたが、これらを別々の写真プリントＰとして出力して、後から接合してもよい。また、薄い写真アルバム冊子を作成する場合などでは、表紙の一部と裏表紙の一部で背表紙を構成するようにし、表紙と裏表紙だけのカバーシートＰ0を出力してもよく、その場合背表紙テンプレートは省略できる。
【００３７】
上述した実施の形態では、プリントステーション１Ｂは、印画紙Ｐに対し、レーザ式露光エンジンを備えたプリント露光部１４で撮影画像の露光を行い、この露光後の印画紙Ｐを複数の現像処理する、いわゆる銀塩写真プリント方式を採用していたが、もちろん、本発明におけるプリントステーション１Ｂは、このような方式に限定されるわけではなく、例えば、フィルムや紙にインクを吐出して画像を形成するインクジェットプリント方式や感熱転写シートを用いた熱転写方式など、種々の写真プリント方式を採用することができる。 
【図面の簡単な説明】
【００３８】
【図１】本発明による写真プリント装置の一例を示す外観図
【図２】本発明によって作成される写真アルバム冊子の構成を示す模式図
【図３】図１による写真プリント装置を構成するプリントステーションの説明図
【図４】図１による写真プリント装置のコントローラの機能を示す機能ブロック図
【図５】コントローラの画像処理系の機能ダイヤグラムを示すブロック図
【図６】各テンプレートの構造を説明する説明図
【図７】アルバム冊子テンプレート選択画面の一例を示す画面図
【図８】新規アルバム冊子テンプレート作成画面（表紙）の一例を示す画面図
【図９】新規アルバム冊子テンプレート作成画面（頁シート）の一例を示す画面図
【図１０】プレジャッジ画面の一例を示す画面図
【符号の説明】
【００３９】
１Ａ：操作ステーション
１Ｂ：プリントステーション
４：コントローラユニット
２３：モニタ
３０：メモリ
３４：プリントデータ生成部
３６：ＧＵＩ部
４１：アルバム冊子テンプレート管理部
４２：テンプレート格納部
４３：アルバム冊子選択画面生成部
４４：アルバム冊子テンプレートイメージ作成部
４５：アルバム冊子プリント管理部
４６：プレジャッジ画面生成部
４７：画像処理部
Ｐ  ：印画紙
【図１】
2006058962.tif 000003
【図２】
2006058962.tif 000004
【図３】
2006058962.tif 000005
【図４】
2006058962.tif 000006
【図５】
2006058962.tif 000007
【図６】
2006058962.tif 000008
【図７】
2006058962.tif 000009
【図８】
2006058962.tif 000010
【図９】
2006058962.tif 000011
【図１０】
2006058962.tif 000012